【手続補正書】
【提出日】平成21年10月9日(2009.10.9)
【手続補正１】
【補正対象書類名】特許請求の範囲
【補正対象項目名】全文
【補正方法】変更
【補正の内容】
【特許請求の範囲】
【請求項１】
第１の面から第２の面へと貫通し、分析対象のガス成分を吸着する吸着剤が充填される孔部を複数有し、前記吸着剤の全体積をＶ、前記孔部の開口面積の総和をＡ、前記孔部の平均長さをＬとしたとき、（ＡＬ−Ｖ）２／Ｌ３≧０．００３ｍｍ、かつＶ／ＡＬ≧０．３を満たすフィルタと、
前記フィルタを内部に収容する保持容器とを有するガス成分捕集器であって、
前記保持容器は、前記フィルタの前記第１の面側または前記第２の面側の少なくともいずれかに、ガスを導入する第１の開口部と、導入されたガスを排出させる第２の開口部とを備えることを特徴とするガス成分捕集器。
【請求項２】
前記第１の開口部または前記第２の開口部は、栓をすることが可能な形状であり、前記ガス成分捕集器の内部を密封できることを特徴とする請求項１に記載のガス成分捕集器。
【請求項３】
前記フィルタと前記保持容器との間に、シーリング手段を有することを特徴とする請求項１に記載のガス成分捕集器。
【請求項４】
前記シーリング手段は、金属のシールリングによりシールする構成であることを特徴とする請求項３に記載のガス成分捕集器。
【請求項５】
前記第１の開口部または前記第２の開口部の少なくともいずれかの開口面積は、前記孔部の開口面積の総和より小さいことを特徴とする請求項１に記載のガス成分捕集器。
【請求項６】
前記保持容器の内部の空間の体積をＤ、前記分析対象のガス成分の前記吸着剤への吸着量をＢ、大気に含まれる前記分析対象のガス成分のガス濃度をＣとしたとき、Ｂ＞Ｃ×Ｄを満たすことを特徴とする請求項１に記載のガス成分捕集器。
【請求項７】
分析対象となるガス成分を捕集するガス成分捕集装置であって、
前記ガス成分捕集装置は、ガスを導入するガス導入部と、前記ガス導入部と第１の配管を介して接続し、前記ガスに含まれる分析対象のガス成分を選択捕集するガス成分捕集器と、前記導入されたガスを前記ガス成分捕集装置の外部へ排出する第２の配管とを有し、
前記ガス成分捕集器は、
第１の面から第２の面へと貫通し、分析対象のガス成分を吸着する吸着剤が充填される孔部を複数有し、前記吸着剤の全体積をＶ、前記孔部の開口面積の総和をＡ、前記孔部の平均長さをＬとしたとき、（ＡＬ−Ｖ）２／Ｌ３≧０．００３ｍｍ、かつＶ／ＡＬ≧０．３を満たすフィルタと、
前記フィルタの前記第１の面側に前記第１の配管と接続される第１の開口部、および前記第２の面側に、前記第２の配管と接続される第２の開口部とを備える前記フィルタを内部に収容する保持容器とを有し、
前記第１の開口部および前記第２の開口部で、前記ガス成分捕集器を、前記ガス成分捕集装置に脱着可能であることを特徴とするガス成分捕集装置。
【請求項８】
ガスの量を計測するガス量計測部が、前記第２の配管の前記ガス成分捕集器が接続されていない側の末端に接続されていることを特徴とする請求項７に記載のガス成分捕集装置。
【請求項９】
前記ガス量計測部は、積算流量計であることを特徴とする請求項８に記載のガス成分捕集装置。
【請求項１０】
前記ガス量計測部は、特定の容量を持つ袋であることを特徴とする請求項８に記載のガス成分捕集装置。
【請求項１１】
前記第２の配管に、ガスの逆流を防止する弁を設けたことを特徴とする請求項７に記載のガス成分捕集装置。
【請求項１２】
前記ガス成分捕集器を少なくとも２つ備えたことを特徴とする請求項７に記載のガス成分捕集装置。
【請求項１３】
第１の面から第２の面へと貫通し、分析対象のガス成分を吸着する粒状の吸着剤が充填された孔部を複数有するフィルタの製造方法であって、
前記吸着剤を充填する前のフィルタの前記第１の面を、前記吸着剤の粒径よりも目が細かいメッシュで覆う工程、
気体を吸引する吸引部を供えたフィルタ台に、前記メッシュで覆った第１の面が前記吸引部に面するように前記フィルタを載置する工程、
前記吸引部から気体を吸引することにより、気体とともに前記吸着剤を吸引し、前記孔部に前記吸着剤を充填する工程、
前記第２の面から余分な吸着剤を除去する工程、
前記第２の面を、前記メッシュで覆う工程、
を含んでなることを特徴とするフィルタの製造方法。
【請求項１４】
複数の前記フィルタを、フィルタ台に載置することによって、１度に複数のフィルタを製造することを特徴とする請求項１３に記載のフィルタの製造方法。
【請求項１５】
分析対象のガス成分の分析を行うガス成分分析装置であって、
前記分析対象のガス成分を捕集しているガス成分捕集器と、
前記ガス成分捕集器を加熱する加熱部と、
前記ガス成分捕集器と接続し、前記分析対象のガス成分を分析する分析部と、
前記ガス成分捕集器から分離された前記分析対象のガス成分を、前記分析部へ送るキャリアガスを、前記ガス成分捕集器へ導入するキャリアガス導入部とを有し、
前記ガス成分捕集器は、
第１の面から第２の面へと貫通し、分析対象のガス成分を吸着する吸着剤が充填される孔部を複数有し、前記吸着剤の全体積をＶ、前記孔部の開口面積の総和をＡ、前記孔部の平均長さをＬとしたとき、（ＡＬ−Ｖ）２／Ｌ３≧０．００３ｍｍ、かつＶ／ＡＬ≧０．３を満たすフィルタと、
前記第１の面側に、ガスを導入する第１の開口部と、前記第２の面側に、前記導入されたガスを排出させる第２の開口部とを設け、前記フィルタを内部に収容する保持容器とを有し、
前記ガス成分捕集器は、前記第１の開口部および前記第２の開口部で、前記ガス成分分析装置に脱着可能であることを特徴とするガス成分分析装置。
【請求項１６】
前記ガス成分捕集器と、前記分析部との間に、前記ガス成分捕集器から送られた前記分析対象のガス成分を濃縮し、加熱する濃縮部をさらに有することを特徴とする請求項１５に記載のガス成分分析装置。
【請求項１７】
前記ガス成分捕集器と、前記分析部との間に、パージ部をさらに有することを特徴とする請求項１５に記載のガス成分分析装置。
【請求項１８】
前記ガス成分捕集器と、前記分析部との間に、前記ガス成分捕集器から送られた前記分析対象のガス成分に含まれる各成分を分離する成分分離部をさらに有することを特徴とする請求項１５に記載のガス成分分析装置。
【請求項１９】
前記成分分離部は、ガスクロマトグラフィであることを特徴とする請求項１８に記載のガス成分分析装置。
【請求項２０】
分析対象のガス成分の分析を行うガス成分分析装置であって、
前記分析対象のガス成分を捕集しているガス成分捕集器と、
前記分析対象のガス成分を分析する分析部と、
前記ガス成分捕集器内に吸着された前記分析対象のガス成分を溶解し、溶解された前記分析対象のガス成分を前記分析部へ送る溶媒を、前記ガス成分捕集器へ導入する溶媒導入部とを有し、
前記ガス成分捕集器は、
第１の面から第２の面へと貫通し、分析対象のガス成分を吸着する吸着剤が充填される孔部を複数有し、前記吸着剤の全体積をＶ、前記孔部の開口面積の総和をＡ、前記孔部の平均長さをＬとしたとき、（ＡＬ−Ｖ）２／Ｌ３≧０．００３ｍｍ、かつＶ／ＡＬ≧０．３を満たすフィルタと、
前記第１の面側に、ガスを導入する第１の開口部と、前記第２の面側に、導入されたガスを排出させる第２の開口部とを設け、前記フィルタを内部に収容する保持容器とを有し、
前記ガス成分捕集器は、前記第１の開口部および前記第２の開口部で、前記ガス成分分析装置に脱着可能であることを特徴とするガス成分分析装置。
【請求項２１】
前記ガス成分捕集器と、前記分析部との間に、前記分析対象のガス成分が溶解した溶媒を、水または前記溶媒とは別の溶媒で置換する溶媒置換部、または前記分析対象のガス成分が溶解した溶媒を、水または前記溶媒とは別の溶媒で希釈する希釈部をさらに有することを特徴とする請求項２０に記載のガス成分分析装置。
【請求項２２】
前記ガス成分捕集器と、前記分析部との間に、前記溶媒に溶解している前記分析対象のガス成分の各成分を分離する成分分離部をさらに有することを特徴とする請求項２０に記載のガス成分分析装置。
【請求項２３】
前記成分分離部は、液体クロマトグラフィであることを特徴とする請求項２２に記載のガス成分分析装置。
【請求項２４】
分析対象のガス成分を捕集しているガス成分捕集器と、
前記ガス成分捕集器を加熱する加熱部と、
前記ガス成分捕集器と接続し、前記分析対象のガス成分を分析する分析部と、
前記ガス成分捕集器から分離された前記分析対象のガス成分を、前記分析部へ送るキャリアガスを、前記ガス成分捕集器へ導入するキャリアガス導入部とを有し、
前記ガス成分捕集器は、
第１の面から第２の面へと貫通し、分析対象のガス成分を吸着する吸着剤が充填される孔部を複数有し、前記吸着剤の全体積をＶ、前記孔部の開口面積の総和をＡ、前記孔部の平均長さをＬとしたとき、（ＡＬ−Ｖ）２／Ｌ３≧０．００３ｍｍ、かつＶ／ＡＬ≧０．３を満たすフィルタと、
前記第１の面側に、ガスを導入する第１の開口部と、前記第２の面側に、導入されたガスを排出させる第２の開口部とを設け、前記フィルタを内部に収容する保持容器とを有し、
前記ガス成分捕集器は、前記第１の開口部および前記第２の開口部で、ガス成分分析装置に脱着可能であることを特徴とするガス成分分析装置のガス成分分析方法であって、
前記加熱部が、前記分析対象のガス成分を捕集している前記ガス成分捕集器を加熱し、
前記キャリアガス導入部から導入されたキャリアガスが、前記加熱によって、前記ガス成分捕集器の前記吸着剤から脱離された前記分析対象のガス成分を、前記分析部へ送り、
前記分析部が、前記送られた分析対象のガス成分を分析することを特徴とするガス成分分析方法。
【請求項２５】
分析対象のガス成分を捕集しているガス成分捕集器と、
前記分析対象のガス成分を分析する分析部と、
前記ガス成分捕集器内に吸着された前記分析対象のガス成分を溶解し、溶解された前記分析対象のガス成分を前記分析部へ送る溶媒を、前記ガス成分捕集器へ導入する溶媒導入部とを有し、
前記ガス成分捕集器は、
第１の面から第２の面へと貫通し、分析対象のガス成分を吸着する吸着剤が充填される孔部を複数有し、前記吸着剤の全体積をＶ、前記孔部の開口面積の総和をＡ、前記孔部の平均長さをＬとしたとき、（ＡＬ−Ｖ）２／Ｌ３≧０．００３ｍｍ、かつＶ／ＡＬ≧０．３を満たすフィルタと、
前記第１の面側に、ガスを導入する第１の開口部と、前記第２の面側に、導入されたガスを排出させる第２の開口部とを設け、前記フィルタを内部に収容する保持容器とを有し、
前記ガス成分捕集器は、前記第１の開口部および前記第２の開口部で、ガス成分分析装置に脱着可能であることを特徴とするガス成分分析装置のガス成分分析方法であって、
前記溶媒導入部から導入された溶媒が、前記ガス成分捕集器の前記吸着剤に吸着されている前記分析対象のガス成分を溶解し、
前記分析対象のガス成分を溶解している溶媒が、前記分析部へ送られ、
前記分析部が、前記送られた溶媒に溶解している分析対象のガス成分を分析することを特徴とするガス成分分析方法。